(57)【要約】装着したままで露出する肌の面積を変更自在に構成することで、装着者に余計な身体的或いは心理的負担を課すことのないショーツを提供する。  略逆三角形状の前カバー体（１１）と略逆三角形状の後カバー体（１２）とをそれぞれ略逆三角形状の頂部（１３）において連結することにより、装着時に、人体の下腹部と股下と臀部とを一体に前後カバー体（１１，１２）により被覆することができる形状とするとともに、環状の紐体（３１）を、前後カバー体（１１，１２）の上縁部に形成した紐体挿通路（１９，２０）にスライド自在に挿通することにより、前後カバー体（１１，１２）の上縁両端部（２１Ｌ，２１Ｒ，２２Ｌ，２２Ｒ）を、紐体（３１）に沿って中心部に向かってスライド可能に構成し、前後カバー体（１１，１２）の形態を幅狭状態で人体の下腹部と股下と臀部とを覆う状態に変更可能とした。
2009069686.tif 000002
【特許請求の範囲】
【請求項１】
略逆三角形状の前カバー体と略逆三角形状の後カバー体とをそれぞれ略逆三角形状の頂部において連結することにより、
装着時に、人体の下腹部と股下と臀部とを一体に前後カバー体により被覆することができる形状とするとともに、
環状の紐体を、前後カバー体の上縁部に形成した紐体挿通路にスライド自在に挿通することにより、
前後カバー体の上縁両端部を、紐体に沿って中心部に向かってスライド可能に構成し、
前後カバー体の形態を幅狭状態で人体の下腹部と股下と臀部とを覆う状態に変更可能とし、
しかも、装着時に前後カバー体の形態を幅狭状態に変更した場合には、環状の紐体の左右側部は人体の骨盤の左右側部に係止されて、環状の紐体の前後側部は前後側視で略Ｖ字状に変位すべく構成してなることを特徴とするショーツ。
【請求項２】
前後カバー体の上縁両端部を、紐体に沿って中心部に向かってスライド可能に構成するに際し、
前後カバー体の上縁両端部が上縁略中心部を超えてスライド移動しないように構成してなることを特徴とする請求項１に記載のショーツ。
【請求項３】
紐体は弾性体にて構成してなることを特徴とする請求項１又は請求項２に記載のショーツ。
【請求項４】
前後カバー体の上縁略中心部を紐体に固定してなることを特徴とする請求項１から請求項３の何れかに記載のショーツ。
【請求項５】
両端を自由端として紐状体の自由端を締結することにより環状の紐体に構成してなることを特徴とする請求項１から請求項４の何れかに記載のショーツ。
【請求項６】
前カバー体の上縁左端部に第１の紐状体を、前カバー体の上縁右端部に第２の紐状体をそれぞれ形成し、また、後カバー体の上縁左端部に第３の紐状体を、後カバー体の上縁右端部に第４の紐状体をそれぞれ形成し、
装着時に前カバー体の形態を幅狭状態に変更した場合には、前記第１の紐状体の自由端と前記第２の紐状体の自由端とを締結することにより、また、装着時に後カバー体の形態を幅狭状態に変更した場合には、前記第３の紐状体の自由端と前記第４の紐状体の自由端とを締結することにより、前後カバー体の上縁左右端部が、紐体に沿って中心部から左右側部に向かってスライド移動するのを規制可能に構成してなることを特徴とする請求項１から請求項５の何れかに記載のショーツ。
【請求項７】
装着時に前後カバー体の形態を幅狭状態に変更しない場合には、前記第１の紐状体の自由端と前記第３の紐状体の自由端とを締結することにより、また、前記第２の紐状体の自由端と前記第４の紐状体の自由端とを締結することにより、前後カバー体の上縁左右端部が、紐体に沿って左右側部から中心部に向かってスライド移動するのを規制可能に構成してなることを特徴とする請求項６に記載のショーツ。
【発明の詳細な説明】
【技術分野】
【０００１】
本発明は、主に衣料、衛生、医療等の分野におけるショーツに関するものであり、好ましくは、全身に対する美容術を施すエステティックサービスを提供する際に利用者に着用させるショーツに関する。
【背景技術】
【０００２】
近年、主に女性を中心として、全身に対する美容術を施すサービス（いわゆるエステティックサービス）に対する需要が増している。一般的に、エステティックサービスとして行われる施術の内容としては、全身の肌に対して美容液やオイルを塗布してその上から刺激を与えるといったマッサージ術や、余分な体毛を除去する脱毛術を施すものが主流となっている。【０００３】
上記のようなエステティックサービスを提供する施設（いわゆるエステティックサロン）では、施術を行うに際し、利用者の肌を露出させる必要があることや、使用する美容液などによって利用者の着衣を汚損させてしまうおそれがあるといった理由から、当該施術を行う間に一時的に利用者に着用させる衣類を用意しているのが一般的である。最近では、このような衣類の１つとして、不織布で形成された使い捨てショーツを使用することが知られている（例えば、特許文献１参照）。
【特許文献１】特表２００５−５０９０９８号公報
【発明の開示】
【発明が解決しようとする課題】
【０００４】
しかしながら、前述した従来のショーツでは、当該ショーツによって被覆される部分、即ち下腹部や臀部に対してマッサージや脱毛といった施術を行うにあたって、以下のような問題が有った。【０００５】
例えば、装着しているショーツを利用者に脱ぐように促そうとすると、これを促された利用者の中には、施術を行う者や他の利用者などの視線を意識して、それらの者がたとえ同性であったとしても、羞恥心を抱いてしまう者が少なくなかった。また、利用者にショーツを装着させたまま施術を行おうとするとき、施術箇所である局部周辺を露出させるために、ショーツの股部を中心側に無理に手で押しやってその形状を変形させるなどする必要があるため、施術が円滑に行い難く、また、不自然に力が加えられた部分が利用者の身体を圧迫したり或いは締め付けたりしてしまい、利用者に不快感を与えてしまうおそれがあった。【０００６】
そこで、本発明は、装着したままで露出する肌の面積を変更自在に構成することで、装着者に余計な身体的或いは心理的負担を課すことのないショーツを提供することを目的とする。
【課題を解決するための手段】
【０００７】
以上のような目的を達成するために、本発明は、以下のようなショーツを提供する。【０００８】
（１）  略逆三角形状の前カバー体と略逆三角形状の後カバー体とをそれぞれ略逆三角形状の頂部において連結することにより、装着時に、人体の下腹部と股下と臀部とを一体に前後カバー体により被覆することができる形状とするとともに、環状の紐体を、前後カバー体の上縁部に形成した紐体挿通路にスライド自在に挿通することにより、前後カバー体の上縁両端部を、紐体に沿って中心部に向かってスライド可能に構成し、前後カバー体の形態を幅狭状態で人体の下腹部と股下と臀部とを覆う状態に変更可能とし、しかも、装着時に前後カバー体の形態を幅狭状態に変更した場合には、環状の紐体の左右側部は人体の骨盤の左右側部に係止されて、環状の紐体の前後側部は前後側視で略Ｖ字状に変位すべく構成してなることを特徴とするショーツ。【０００９】
（１）に記載のショーツによれば、当該ショーツを装着する者（以下、装着者）は、装着したままの状態で、前後カバー体の上縁両端部を紐体に沿って中心部に向かってスライドさせることによって、前後カバー体により下腹部や臀部が被覆される面積を自在に変更させることができるようになる。【００１０】
したがって、エステティックサービスを提供する際において、当該ショーツを装着したままで、下腹部や臀部において施術の対象とする肌を容易に露出させることができるようになるので、ショーツを脱いだり、無理に変形させたりする必要がなくなる。この結果、施術を受ける利用者に対して羞恥心を抱かせてしまうことや、不快感を与えてしまうことがなくなるので、余計な身体的或いは心理的負担を課すことがないようにすることが可能となる。【００１１】
（２）  前後カバー体の上縁両端部を、紐体に沿って中心部に向かってスライド可能に構成するに際し、前後カバー体の上縁両端部が上縁略中心部を超えてスライド移動しないように構成してなることを特徴とする（１）に記載のショーツ。【００１２】
（２）に記載のショーツによれば、前後カバー体の上縁両端部を紐体に沿って中心部に向かってスライドさせる際に、中心部から左右のどちらかにずれて幅狭状態が形成されてしまうことを防止することが可能となる。したがって、装着者に余計な身体的或いは心理的負担を課すことがないようにするのに好適となる。【００１３】
（３）  紐体は弾性体にて構成してなることを特徴とする（１）又は（２）に記載のショーツ。【００１４】
（３）に記載のショーツによれば、装着者のウエストのサイズに合わせて当該ショーツの紐体が伸長されるようになるので、装着者の対象を徒に狭めないようにすることができる。【００１５】
（４）  前後カバー体の上縁略中心部を紐体に固定してなることを特徴とする（１）から（３）の何れかに記載のショーツ。【００１６】
（４）に記載のショーツによれば、前後カバー体の上縁両端部を紐体に沿って中心部に向かってスライドさせる際に中心部から左右のどちらかにずれて幅狭状態が形成されてしまうことを防止するにあたって、その確実性を高めることが可能となる。したがって、装着者に余計な身体的或いは心理的負担を課すことがないようにするのに好適となる。【００１７】
（５）  両端を自由端として紐状体の自由端を締結することにより環状の紐体に構成してなることを特徴とする（１）から（４）の何れかに記載のショーツ。【００１８】
（５）のショーツによれば、装着者のウエストのサイズ或いは装着者の好みに応じて、当該ショーツの紐体の長さを調整することができるようになるので、装着者の対象を徒に狭めないようにするのに好適となる。【００１９】
（６）  前カバー体の上縁左端部に第１の紐状体を、前カバー体の上縁右端部に第２の紐状体をそれぞれ形成し、また、後カバー体の上縁左端部に第３の紐状体を、後カバー体の上縁右端部に第４の紐状体をそれぞれ形成し、装着時に前カバー体の形態を幅狭状態に変更した場合には、前記第１の紐状体の自由端と前記第２の紐状体の自由端とを締結することにより、また、装着時に後カバー体の形態を幅狭状態に変更した場合には、前記第３の紐状体の自由端と前記第４の紐状体の自由端とを締結することにより、前後カバー体の上縁左右端部が、紐体に沿って中心部から左右側部に向かってスライド移動するのを規制可能に構成してなることを特徴とする（１）から（５）の何れかに記載のショーツ。【００２０】
（６）のショーツによれば、装着時に前後カバー体の形態を幅狭状態に変更した場合に、前後カバー体の上縁左右端部に形成した紐状体の自由端をそれぞれ締結することにより、上縁左右端部のそれぞれが中心部から左右側部にスライド移動するのを防ぐことが可能となる。その結果、前後カバー体の形態を幅狭状態で維持することが可能となる。【００２１】
（７）  装着時に前後カバー体の形態を幅狭状態に変更しない場合には、前記第１の紐状体の自由端と前記第３の紐状体の自由端とを締結することにより、また、前記第２の紐状体の自由端と前記第４の紐状体の自由端とを締結することにより、前後カバー体の上縁左右端部が、紐体に沿って左右側部から中心部に向かってスライド移動するのを規制可能に構成してなることを特徴とする（６）に記載のショーツ。【００２２】
（７）のショーツによれば、装着時に前後カバー体の形態を幅狭状態に変更しない場合には、前カバー体の上縁左右端部に形成した紐状体の自由端と、これらと対になる後カバー体の上縁左右端部に形成した紐状体の自由端とをそれぞれ締結することにより、前後カバー体の上縁左右端部が、紐体に沿って左右側部から中心部に向かってスライド移動するのを防ぐことが可能となる。その結果、前後カバー体の形態が幅狭状態に変更されないように維持することが可能となる。
【発明の効果】
【００２３】
本発明のショーツによれば、当該ショーツを装着したままの状態で、前後カバー体により下腹部や臀部が被覆される面積を自在に変更させることができるようになる。そして、エステティックサービスを提供する際に、利用者に本発明のショーツを装着させる場合、下腹部や臀部において施術の対象とする肌を容易に露出させることができるようになるので、利用者に余計な身体的或いは心理的負担を課すことがないようにすることが可能となる。
【図面の簡単な説明】
【００２４】
【図１】ショーツ１の全体の構成を示す斜視図である。
【図２】ショーツ１の要部を拡大した図である。
【図３】ショーツ１を装着したときの外観を示す斜視図である。
【図４】ショーツ１を装着したときの外観を示す正面図である。
【図５】ショーツ１を装着したときの外観を示す背面図である。
【図６】ショーツ１を変位させたときの外観を示す斜視図である。
【図７】ショーツ１を変位させたときの外観を示す斜視図である。
【図８】ショーツ１を変位させたときの外観を示す正面図である。
【図９】ショーツ１を変位させたときの外観を示す背面図である。
【図１０】ショーツ１の全体の構成を示す斜視図である。
【図１１】ショーツ１を変位させたときの外観を示す斜視図である。
【図１２】ショーツ１を装着したときの外観を示す斜視図である。
【図１３】ショーツ１の全体の構成を示す斜視図である。
【図１４】ショーツ１を変位させたときの外観を示す斜視図である。
【図１５】ショーツ１を装着したときの外観を示す斜視図である。
【符号の説明】
【００２５】
１    ショーツ
１１  前カバー体
１２  後カバー体
１３  頂部
１４  クロッチ部
１５，１６  側縁部
１７，１８  上縁部
１９，２０  挿通路
２１，２２  端部
２３，２４  紐状体
３１  紐体
【発明を実施するための最良の形態】
【００２６】
本発明の実施の形態において採用するショーツ１について、以下図面（図１〜図１２）を参照しながら説明する。まず、図１を参照して、ショーツ１の全体的な構成について説明する。図１は、本発明の実施の形態に係るショーツ１の全体の構成を示す斜視図である。【００２７】
ショーツ１は、略逆三角形状の布地からなる前カバー体１１（前身頃にあたる）と、この前カバー体１１と概ね同様の面積及び形状を有する略逆三角形状の布地からなる後カバー体１２（後ろ身頃にあたる）とを備え、前カバー体１１及び後カバー体１２のそれぞれが逆三角形状の頂部１３において連結されることによって構成されている。【００２８】
前カバー体１１及び後カバー体１２のそれぞれを逆三角形状の頂部１３において連結するにあたっては、それぞれの頂部から延在させた布地を上下に重ねて縫い合わせることによって、装着者の股下に当たる部分を補強するクロッチ部１４が形成される。【００２９】
また、前カバー体１１の両側縁部（略三角形状の斜辺に相当する）１５Ｌ，１５Ｒ及び後カバー体１２の両側縁部１６Ｌ，１６Ｒは、左右それぞれにおいて、足入れ部を形成する。【００３０】
そして、詳しくは追って説明していくが、前カバー体１１の上縁部（略三角形状の底辺に相当する）１７及び後カバー体１２の上縁部１８は、後述する環状の紐体３１にそれぞれ連結され、この紐体３１に沿ってスライド可能なウエスト部を形成する。【００３１】
前カバー体１１及び後カバー体１２は、不織布によって構成されている。不織布を構成する繊維としては、綿、パルプなどの天然繊維、レーヨン、ポリエステル、ポリプロピレンなどの化学繊維、或いはこれらを組合せたものの中から好適な素材を選択する。また、不織布は、ショーツ１を着用した時に下腹部や臀部の肌が透けない程度の目付をもって構成されていることが好ましい。【００３２】
また、不織布は、とくにエステティックサービスにおける用途を考慮すると、黒或いは黒に近い紺や茶などを除く色、例えば、白或いはピンクや橙などを採用することが好ましい。所定の波長（例えば７５５ｍｍ程度）を有する可視光線を患部に当てることにより行う脱毛術（いわゆるレーザー脱毛）が行われる際に、布地を焦がしてしまうことを防ぐためである。【００３３】
続いて、前出した図１及び図２を参照し、ショーツ１の要部、即ち、スライド可能に構成されたウエスト部の構成について説明する。図２は、ショーツ１の前後カバー体１１，１２の上縁部の左右端部を拡大した図である。【００３４】
前カバー体１１の上縁部１７は、その左右両端にわたる範囲で内側（装着時に肌に触れる側）に向かって折り返され、所定の空間を持って縫い合わされることにより、後述の紐体３１を挿通させるための筒状の折り返し部（以下、挿通路）１９が形成される。同様に、後カバー体１２の上縁部１８は、その左右両端にわたる範囲で内側に向かって折り返され、所定の空間を持って縫い合わされることにより、挿通路２０が形成される。【００３５】
上記挿通路１９，２０に通される紐体３１は、平帯状のゴムの両端を連結することにより環状に形成される。本実施の形態では、紐体３１を平帯状としたことによって、装着者のウエスト周りの肌と接触する面積を増し、そこにかかる圧力を分散させることで、不快感を軽減するようにしている。【００３６】
また、前カバー体１１の上縁部１７において形成された挿通路１９の長さ（即ち、上縁部１７の左右端部にわたる長さ）及び後カバー体１２の上縁部１８において形成された挿通路２０の長さはそれぞれ、紐体３１が形成する円周（ウエスト長）の概ね半分の長さを有している。言い換えると、前カバー体１１の上縁部１７及び後カバー体１２の上縁部１８は、紐体３１を通した際に、それぞれに形成された挿通路１９，２０によって当該紐体３１の全体を包み覆うことが可能な幅を備えている。【００３７】
図１に示すように、本実施の形態のショーツ１では、前カバー体１１の上縁部１７の左端部２１Ｌと後カバー体１２の上縁部１８の左端部２２Ｌとを連結させることはせずに、自由端としている。また、前カバー体１１の上縁部１７の右端部２１Ｒと後カバー体１２の上縁部１８の右端部２２Ｒとを連結させることはせずに、自由端としている。これにより、上記挿通路１９，２０に紐体３１を通した際に、前カバー体１１の上縁部１７及び後カバー体１２の上縁部１８のそれぞれを独立して紐体３１に沿ってスライドさせることが可能となっている。【００３８】
上記挿通路１９，２０において紐体３１が通される空間の大きさは、前カバー体１１の上縁部１７及び後カバー体１２の上縁部１８のそれぞれを紐体３１に沿ってスライドさせる際に、その「遊び」がきつくなりすぎず、また、緩くなりすぎることがない程度の大きさに調整することが好ましい。【００３９】
また、図１に示すように、各挿通路１９，２０の全体、即ち、前カバー体１１の上縁部１７の左右端部にわたる範囲及び後カバー体１２の上縁部１８の左右端部にわたる範囲にはそれぞれ、ギャザーが形成されている。これにより、前カバー体１１の上縁部１７及び後カバー体１２の上縁部１８のそれぞれを、紐体３１に沿ってその左右方向に伸縮させることが容易となっている。また、紐体３１の引長に伴うウエスト部の拡張にも対応でき、さらに美観が損なわれるのを防ぐこともできる。【００４０】
次に、図３〜図９を参照して、ショーツ１を装着した際の作用について説明する。【００４１】
図３は、ショーツ１を装着したときの外観を示す斜視図である。図４は、ショーツ１を装着したときの外観を示す正面図である。図５は、ショーツ１を装着したときの外観を示す背面図である。【００４２】
図３〜図５に示すように、本実施の形態のショーツ１が装着されると、紐体３１の左右側部が装着者の骨盤の左右側部（より具体的には、腸骨を構成する上前腸骨棘或いは腸骨稜によって隆起している箇所）に係止されるとともに、略逆三角形状の前カバー体１１及び後カバー体１２によって装着者の下腹部と股下と臀部とが一体に被覆される。即ち、図３〜図５に示すショーツ１は、ごく一般的なショーツの形態を保つことが可能な状態（以下、通常状態）となっている。【００４３】
図６及び図７は、ショーツ１を装着した状態で変位させたときの外観を示す斜視図である。図８は、ショーツ１を装着した状態で変位させたときの外観を示す正面図である。図９は、ショーツ１を装着した状態で変位させたときの外観を示す背面図である。【００４４】
図６に示すように、前カバー体１１の上縁部１７の右端部２１Ｒを、紐体３１に沿って、前カバー体の中心部Ｃ（或いは装着者の下腹部の中心）に向かってスライドさせると、紐体３１の右側部は装着者の骨盤の右側部に係止されたまま、上縁部１７の右端部２１Ｒから中心部Ｃにかけて布地が集められ、その幅が縮められる。【００４５】
尚、このとき、上縁部１７の右端部２１Ｒから中心部Ｃにかけて布地が集められたことによるギャザーの厚み及び上縁部１７の中心部Ｃから左端部２１Ｌにわたる布地の存在によって、上縁部１７の右端部２１Ｒが中心部Ｃを超えて左方の上手側に移動してしまうことが防止される。【００４６】
この結果、前カバー体１１の中心部Ｃから右半分の布地が中心部Ｃに向かって寄せられることとなり、その面積が縮小されることとなる。【００４７】
同様に、図７に示すように、前カバー体１１の上縁部１７の左端部２１Ｌを、紐体３１に沿って、中心部Ｃに向かってスライドさせると、紐体３１の左側部は装着者の骨盤の左側部に係止されたまま、上縁部１７の左端部２１Ｌから中心部Ｃにかけて布地が集められ、その幅が縮められる。【００４８】
尚、このとき、上縁部１７の左端部２１Ｌから中心にかけて布地が集められたことによるギャザーの厚み及び前述した上縁部１７の右端部２１Ｒから中心にかけて布地が集められたことによるギャザーの厚みによって、上縁部１７の左端部２１Ｌが中心部Ｃを超えて右方の上手側に移動してしまうことが防止される。【００４９】
この結果、前カバー体１１の中心部Ｃから左半分の布地が中心部Ｃに向かって寄せられることとなり、その面積が縮小されることとなる。【００５０】
すると、前カバー体１１は、図８に示すように、略逆三角形状の左右の幅が中心に向かって狭められ、略短冊状となった幅狭状態で、装着者の下腹部と股下とを覆う状態に変更される。これにより、ショーツ１を装着したままで、前述の通常状態では前カバー体１１により被覆されていた部分が（局部に近い部分を残して）露出されることとなる。【００５１】
また、図示のように、前述の通常状態から上記幅狭状態に変更された場合には、紐体３１の左右側部は装着者の骨盤の左右側部に係止され、上縁部１７の左右端部が中心に寄せられることにより、紐体３１の前後側部は前後側視で略Ｖ字状となる。【００５２】
前述の前カバー体１１を変位させた場合と同様に、後カバー体１２についても、その上縁部１８の左右端部２２Ｌ，２２Ｒを、紐体３１に沿って、中心部Ｃに向かってスライドさせると、紐体３１の左右側部は装着者の骨盤の左右側部に係止されたまま、上縁部１８の左右端部２２Ｌ，２２Ｒから中心部Ｃにかけて布地が集められ、その幅が縮められる。この結果、後カバー体１２の中心部Ｃから左右の布地が中心部Ｃに向かって寄せられることとなり、その面積が縮小されることとなる。【００５３】
すると、後カバー体１２は、図９に示すように、幅狭状態で、装着者の臀部と股下とを覆う状態に変更される。これにより、ショーツ１を装着したままで、前述の通常状態においては後カバー体１２により被覆されていた箇所が（臀間裂に近い部分を残して）露出されることとなる。【００５４】
また、図示のように、後カバー体１２についても前カバー体１１と同様に、上記幅狭状態に変更された場合には、紐体３１の左右側部は装着者の骨盤の左右側部に係止されて、紐体３１の前後側部は前後側視で略Ｖ字状となる。【００５５】
以上説明したように、本実施の形態のショーツ１は、装着時に、前述の通常状態（図３〜図５参照）で装着者の下腹部と股下と臀部とを一体に被覆することができる構成とするとともに、前カバー体１１の上縁部１７の左右両端部２１Ｌ，２１Ｒ及び後カバー体１２の上縁部１８の左右両端部２２Ｌ，２２Ｒを、紐体３１に沿って中心部Ｃに向かってスライド可能にし、装着したまま、前述の幅狭状態（図７〜図９参照）で装着者の下腹部と股下と臀部とを覆う状態に変更可能な構成となるようにした。【００５６】
したがって、装着者は、上記ショーツ１を装着したままの状態で、前カバー体１１により下腹部が被覆される面積及び後カバー体１２により臀部が被覆される面積のそれぞれを自在に変更させることができるようになる。【００５７】
エステティックサービスを提供する際に本実施の形態のショーツ１を利用者に装着させると、施術を行う際に、当該ショーツを装着したままで、下腹部や臀部において施術の対象とする肌を容易に露出させることができるようになる。したがって、ショーツを脱がせる必要がなくなり、利用者に羞恥心を抱かせることがないようにすることができる。また、ショーツを無理に変形させる必要もなくなるので、利用者に不快感を与えてしまうこともなくなる。この結果、利用者に余計な身体的或いは心理的負担を課すことがないようにすることが可能となる。【００５８】
また、前述したように、本実施の形態のショーツ１は、装着したときにおいては、ごく一般的なショーツと同様の形状が保たれるようにしており、その状態から、必要に応じて肌の露出が増す形状に変更可能となるようにした。したがって、最初から下腹部或いは臀部を覆う面積が小さい布地により形成されたショーツ（いわゆるＴバック等）を使用し、装着したときから露出される肌の面積が極めて大きくなってしまう場合と違い、羞恥心などから利用者が装着の際に抵抗感を抱いてしまうことがないようにすることができる。【００５９】
また、本実施の形態のショーツ１は、前カバー体１１の上縁部１７の左右両端部２１Ｌ，２１Ｒ及び後カバー体１２の上縁部１８の左右両端部２２Ｌ，２２Ｒを、紐体３１に沿って中心部Ｃに向かってスライド可能に構成するに際し、前カバー体１１の上縁部１７の左右両端部２１Ｌ，２１Ｒ及び後カバー体１２の上縁部１８の左右両端部２２Ｌ，２２Ｒが中心部Ｃを超えて反対側にまでスライド移動しないように構成している。【００６０】
したがって、前カバー体１１の上縁部１７の左右両端部２１Ｌ，２１Ｒ及び後カバー体１２の上縁部１８の左右両端部２２Ｌ，２２Ｒを、紐体３１に沿って中心部Ｃに向かってスライド可能に構成するに際に、中心部Ｃから左右の何れかにずれて幅狭状態が形成されてしまうことを防止することが可能となる。この結果、利用者に余計な身体的或いは心理的負担を課すことがないようにするのに好適となる。【００６１】
また、本実施の形態のショーツ１は、紐体３１は平帯状のゴムにて構成したので、装着者のウエストのサイズに合わせて当該ショーツ１の紐体が伸長されるようになり、装着者の対象を徒に狭めないようにすることができる。【００６２】
続いて、図１０〜図１５を参照して、本発明のもうひとつの実施の形態として採用するショーツ１について説明する。【００６３】
図１０〜図１５に示すショーツ１は、前カバー体１１の上縁部１７の左端部２１Ｌに第１の紐状体２３Ｌを、前カバー体１１の上縁部１７の右端部２１Ｒに第２の紐状体２３Ｒをそれぞれ形成した。また、後カバー体１２の上縁部１８の左端部２２Ｌに第３の紐状体２４Ｌを、後カバー体１２の上縁部１８の右端部２２Ｒに第４の紐状体２４Ｒをそれぞれ形成した。また、各紐状体２３，２４は、後述する締結を行うのに十分な長さをもって形成されている。【００６４】
本実施の形態では、図１０に示すように、前カバー体１１と、第１の紐状体２３Ｌ及び第２の紐状体２３Ｒとは一体に形成されるようにする。つまり、両紐状体２３Ｌ，２３Ｒは、生地を裁断する段階で前カバー体１１を構成する略逆三角形状の布地から延在させて形成するようにしている。なお、図１３に示すように、第１の紐状体２３Ｌ及び第２の紐状体２３Ｒを前カバー体１１と別体として用意し、第１の紐状体２３Ｌを前カバー体１１の上縁部１７の左端部２１Ｌに、第２の紐状体２３Ｒを前カバー体１１の上縁部１７の右端部２１Ｒにそれぞれ縫い付けるなどして固定するようにしても良い。また、後カバー体１２と、第３の紐状体２４Ｌ及び第４の紐状体２４Ｒとの関係についても、上記前カバー体１１と、第１の紐状体２３Ｌ及び第２の紐状体２３Ｒとの関係と同様である。【００６５】
このようにすると、図１１や図１４に示すように、ショーツ１の装着時に前カバー体１１の形態を幅狭状態に変更した場合には、第１の紐状体２３Ｌの自由端と第２の紐状体２３Ｒの自由端とを締結する。これにより、前カバー体１１の上縁部１７の左端部２１Ｌが紐体３１に沿って中心部から人体の骨盤の左側部にスライド移動するのが規制され、また、前カバー体１１の上縁部１７の右端部２１Ｒが紐体３１に沿って中心部から人体の骨盤の右側部にスライド移動するのが規制される。その結果、前カバー体１１の形態を幅狭状態で維持することが可能となる。【００６６】
なお、後カバー体１２についても同様に、ショーツ１の装着時に後カバー体１２の形態を幅狭状態に変更した場合には、第３の紐状体２４Ｌの自由端と第４の紐状体２４Ｒの自由端とを締結する（図示を省略）。これにより、後カバー体１２の上縁部１８の左端部２２Ｌが紐体３１に沿って中心部から人体の骨盤の左側部にスライド移動するのが規制され、また、後カバー体１２の上縁部１８の右端部２２Ｒが紐体３１に沿って中心部から人体の骨盤の右側部にスライド移動するのが規制される。その結果、後カバー体１２の形態を幅狭状態で維持することが可能となる。【００６７】
加えて、図１２や図１５に示すように、ショーツ１の装着時に前カバー体１１及び後カバー体１２の形態をそれぞれ幅狭状態に変更しない場合には、第２の紐状体２３Ｒの自由端と第４の紐状体２４Ｒの自由端とを締結し、また、第１の紐状体２３Ｌの自由端と第３の紐状体２４Ｌの自由端とを締結する。これにより、前カバー体１１の上縁部１７の左右端部２１Ｌ，２１Ｒと、後カバー体１２の上縁部１８の左右端部２２Ｌ，２２Ｒがそれぞれ、紐体３１に沿って左右側部から中心部に向かってスライド移動するのを規制することが可能となる。その結果、前カバー体１１の形態及び後カバー体１２の形態を通常状態で維持することが可能となる。【００６８】
以上、本実施の形態について説明したが、本発明はこれに限定されるものではない。即ち、本発明に係るショーツが備える、略逆三角形状の前カバー体、後カバー体、紐体、挿通路などの具体的構成については、本発明の趣旨を逸脱しない範囲で任意に変更可能である。【００６９】
本実施の形態では、前後カバー体の上縁両端部が上縁略中心部を超えてスライド移動しないように構成する具体的な態様として、前カバー体１１及び後カバー体１２のそれぞれにギャザー形状とした挿通路１９，２０を形成し、各挿通路１９，２０の長さをそれぞれ、紐体３１が形成する円周の概ね半分の長さとする構成などを採用したが、本発明はこれに限らず、他の構成を採用することもできる。【００７０】
例えば、前カバー体１１の上縁部１７の略中心部Ｃ及び後カバー体１２の上縁部１８の略中心部Ｃを紐体３１に固定する構成を採用することができる。より具体的には、各上縁部１７，１８の略中心部Ｃを紐体３１に縫い付けることにより固定する。【００７１】
このようにすると、通常状態から幅狭状態に変更させる際に中心部Ｃから左右の何れかにずれて幅狭状態が形成されてしまうことを防止するにあたって、その確実性を高めることが可能となる。したがって、利用者に余計な身体的或いは心理的負担を課すことがないようにするのに好適となる。【００７２】
また、例えば、挿通路１９，２０を、紐体３１を通す通路の幅が中心部に向かって漸次狭くなるようにする構成を採用することもできる。挿通路１９，２０が有する中心部の幅の具体的な大きさは、例えば紐体３１の幅よりも僅かに小さくするなど、任意の大きさを適用可能である。このようにすると、前後カバー体１１，１２の上縁部１７，１８の中心部にかけて紐体３１との摩擦力が増し、通常状態から幅狭状態に変更させる際に中心部Ｃから左右の何れかにずれて幅狭状態が形成されてしまうことを防止するにあたって、その確実性を高めることが可能となる。【００７３】
また、本実施の形態では、紐体３１として、平帯状のゴムの両端を連結して環状に形成したものを採用したが、本発明はこれに限らず、両端を自由端として紐状体の自由端を締結することにより環状に構成しても良い。このようにすると、装着者のウエストのサイズ或いは装着者の好みに応じて、当該ショーツの紐体の長さを調整することができるようになるので、装着者の対象を徒に狭めないようにするのに好適となる。【００７４】
このとき、自由端とした紐体３１の両端は、前カバー体１１の上縁部１７の左端部２１Ｌと後カバー体１２の上縁部１８の左端部２２Ｌとの間、又は、後カバー体１２の上縁部１７の右端部２１Ｒと後カバー体１２の上縁部１８の右端部２２Ｒとの間の何れかから外部に垂れ出すようにすることができる。また、紐体３１は、少なくとも自由端とした両端を結びつけるのに足る長さを有する必要がある。尚、この場合の紐体３１を構成する素材としては、必ずしも弾性体を採用せずとも良い。【００７５】
また、本実施の形態では、前カバー体１１と後カバー体１２とをそれぞれ別の布地によって構成しているが、本発明はこれに限らず、前カバー体１１と後カバー体１２とがそれぞれ略逆三角形状の頂部において連結された連続する１枚の布地で構成しても良い。即ち、結果として、装着時に、人体の局部と股下と尻部とを一体に前カバー体１１及び後カバー体１２により被覆することができる形状がつくられれば良く、それぞれを連結する具体的な態様は任意に変更可能である。【００７６】
また、本実施の形態では、前カバー体１１と後カバー体１２とをその頂部において連結する際、挿通路を形成する際、平帯状のゴムを環状に形成する際などに、縫合によりそれらを行うこととしているが、本発明はこれに限らず、例えば、熱シールや接着剤を用いて接合する手法やこれらの組合せを採用することができる。【００７７】
また、本実施の形態の紐体３１としてゴムなどの弾性体を採用する場合、伸縮性、弾力性、引張力を有するものであれば良く、その形状、材質、数などは任意に変更可能である。【００７８】
また、不織布を構成する繊維としては、綿、パルプなどの天然繊維、レーヨン、ポリエステル、ポリプロピレンなどの化学繊維、或いはこれらを組合せたものの中から、衣料、衛生、医療等の用途に合わせて好適なものを選択することができる。【００７９】
また、本実施の形態では、装着者の精神衛生上から、「使い捨て」という用途を考慮し、より好適となる不織布を採用しているが、本発明はこれに限らず、一般的な下着で採用される綿などで織られた布地を採用することも可能である。また、採用する布地の素材によっては、ファッションショーツや水着などとして利用することも可能である。さらに、男性が装着する下着としても応用可能である。【００８０】
尚、本実施の形態に記載された効果は、本発明から生じる最も好適な効果を列挙したに過ぎず、本発明による効果は、本実施の形態に記載されたものに限定されるものではない。
【図１】
2009069686.tif 000003
【図２】
2009069686.tif 000004
【図３】
2009069686.tif 000005
【図４】
2009069686.tif 000006
【図５】
2009069686.tif 000007
【図６】
2009069686.tif 000008
【図７】
2009069686.tif 000009
【図８】
2009069686.tif 000010
【図９】
2009069686.tif 000011
【図１０】
2009069686.tif 000012
【図１１】
2009069686.tif 000013
【図１２】
2009069686.tif 000014
【図１３】
2009069686.tif 000015
【図１４】
2009069686.tif 000016
【図１５】
2009069686.tif 000017
【国際調査報告】
2009069686.tif 000018
2009069686.tif 000019
2009069686.tif 000020
2009069686.tif 000021